(57)【要約】      （修正有）【課題】耐久性を維持しつつ、共振周波数を高くすることができるアクチュエータ、及び、それに用いられるアクチュエータ用コムを提供する。【解決手段】アクチュエータ用コムは、互いに平行な一対の面２３ａ、２３ｂと、コイル３０の外周面３１と対向するコイル対向面２６とを有するコイル保持部２３を備えるアクチュエータ用コムであって、コイル対向面２６は、コイル保持部２３の少なくとも一方の面２３ａ側において、一方の面２３ａと鈍角をなすように傾斜している。【選択図】図２
2011181165.tif 000002
【特許請求の範囲】
【請求項１】
互いに平行な一対の面と、コイルの外周面と対向するコイル対向面と、を有するコイル保持部を備えるアクチュエータ用コムであって、
前記コイル対向面は、前記コイル保持部の少なくとも一方の面側において、前記一方の面と鈍角をなすように傾斜している
ことを特徴とするアクチュエータ用コム。
【請求項２】
前記コイル保持部は、前記コイルを挟み込む一対のコイル保持アームを有し、前記コイル対向面の少なくとも一部は、前記コイル保持アームの側面の一部とされることを特徴とする請求項１に記載のアクチュエータ用コム。
【請求項３】
前記コイル対向面は、前記コイル保持部の他方の面側において、前記コイル保持部の前記他方の面と垂直をなすように形成されていることを特徴とする請求項１または２に記載のアクチュエータ用コム。
【請求項４】
前記コイル対向面は、前記コイル保持部の他方の面側において、前記他方の面と鋭角をなすように傾斜していることを特徴とする請求項１または２に記載のアクチュエータ用コム。
【請求項５】
前記コイル対向面における前記コイル保持部の前記他方の面側は、前記コイル対向面における前記一方の面側と面一とされていることを特徴とする請求項４に記載のアクチュエータ用コム。
【請求項６】
前記コイル対向面は、前記コイル保持部の他方の面側において、前記他方の面と鈍角をなすように傾斜していることを特徴とする請求項１または２に記載のアクチュエータ用コム。
【請求項７】
前記他方の面と前記コイル対向面の前記他方の面側とがなす角度は、前記一方の面と前記コイル対向面の前記一方の面側とがなす角度と、同じ大きさとされていることを特徴とする請求項６に記載のアクチュエータ用コム。
【請求項８】
請求項１から７のいずれか１項に記載のアクチュエータ用コムと、
コイルと、
前記コイル対向面と前記コイルの外周面との間に充填されると共に、前記コイルを前記コイル保持部に固定する接着剤と、
を備えることを特徴とするアクチュエータ。
【発明の詳細な説明】
【技術分野】
【０００１】
本発明は、アクチュエータ、及び、それに用いられるアクチュエータ用コムに関し、特にハードディスクに用いられ、耐久性を維持しつつ、共振周波数を高くすることができるアクチュエータ、及び、それに用いられるアクチュエータ用コムに関する。
【背景技術】
【０００２】
ハードディスクドライブにおけるアクチュエータは、ピボットホールが形成されるコム（アクチュエータアームとも言う）と、コムの一方の端部にサスペンションを介して搭載される磁気ヘッドと、コムの他方側に設けられるボイスコイルモータとを主な構成としている。ボイスコイルモータのコイルは、コムの他方側に固定される。このようにコイルがコムに固定される場合、コムの他方側における一部が延長されて、一対のコイル保持アームが形成される場合がある。この場合、コイルの外周面が、コイル保持アームに挟み込まれると共に、コイルの外周面とコイル保持アームの側面であるコイル対向面とが、接着剤により接着される。
【０００３】
そして、ハードディスクの動作時においては、ボイスコイルモータの動作により、コムに固定されたコイルが移動することで、コムのピポットホールの中心を軸としてアクチュエータが高速で揺動する。こうして、磁気ヘッドが磁気記録媒体の所望の位置に移動され、移動した磁気ヘッドにより磁気記録媒体に記録される情報を記録／再生する。
【０００４】
ところで、近年、ハードディスクドライブ装置による情報の高速な記録／再生を行うために、アクチュエータの高性能化が求められており、このアクチュエータの高性能化の一つとしてアクチュエータが高速で揺動することが求められている。そして、アクチュエータを高速で揺動させるためには、アクチュエータの共振周波数が高い方が良いということが知られている。
【０００５】
下記特許文献１には、このようなアクチュエータが記載されている。下記特許文献１の記載によると、このアクチュエータは、上記のような高性能化の要請に応えるために、コムのコイル保持アームが薄く形成されている。しかし、このようにコイル保持アームが薄く形成されると、コイル保持アームにおけるコイル対向面の面積が小さくなり、コイルを固定する力が弱くなる。このため、このアクチュエータにおいては、コイル対向面に互いに垂直な面から成る段差部が、コイル保持アームの長手方向に沿って形成されている。そして、この段差部により、コイル対向面におけるコムの一方の面側においては、コイル対向面とコイルの外周面との距離が大きくされ、コイル対向面におけるコムの他方の面側においては、コイル対向面とコイルの外周面との距離が小さくされている。この様な段差部が形成されることで、このアクチュエータにおいては、接着剤が抜け落ちることがなく、コイルがコムに確実に固定される。
【先行技術文献】
【特許文献】
【０００６】
【特許文献１】特開２００２−３２９６９号公報
【発明の概要】
【発明が解決しようとする課題】
【０００７】
ところで、アクチュエータの共振周波数を高くするためには、アクチュエータを構成する各部材がヤング率の高い材料から構成されることが全体としてのヤング率を高くするため望ましい。しかし、コムとコイルとを固定する接着剤は、コムを構成する材料と比較して、一般にヤング率の低い材料である。このため、接着剤の量が減らされることにより、接着剤のアクチュエータを構成する部材としての割合が減らされることが、アクチュエータの共振周波数を高めるために有効であると考えられる。この接着剤の量を減らすためには、コイルの外周面とコイル対向面との距離を小さくすれば良い。しかし、コイルの外周面とコイル対向面との距離を小さくすると、コイルの外周面とコイル対向面との間に接着剤を充填する際、ディスペンサから適切に接着剤を充填することが困難になる。そこで、上記特許文献１に記載のコムを用いれば、コイルの外周面とコイル対向面との距離を小さくする場合においても、コムの一方の面側、すなわちコイル対向面とコイルの外周面との距離が比較的大きな面側から接着剤を充填すれば、容易に接着剤を充填することができる。こうして、コムのコイル対向面とコイルの外周面との距離を小さくしつつ、コイルをコムに固定することにより、全体として接着剤の量を減らすことができるため、アクチュエータの共振周波数を高くすることができると考えられた。
【０００８】
しかし、上記特許文献１に記載のアクチュエータにおいては、コイルの外周面とコイル対向面との距離を小さくしても、共振周波数が高くならない場合や、コイルとコムとの接着力が弱く耐久性が悪い場合があることが分かった。
【０００９】
そこで、本発明は、耐久性を維持しつつ、共振周波数を高くすることができるアクチュエータ、及び、それに用いられるアクチュエータ用コムを提供することを目的とする。
【課題を解決するための手段】
【００１０】
上記課題を解決するため、本発明者は、上記特許文献１に記載のアクチュエータにおいて共振周波数が高くならない場合や、耐久性が悪くなる場合がある原因について鋭意検討を行った。その結果、このコムにおいては、段差部が互いに垂直な面により構成されるため、この互いに垂直な面から成る凹状の角部が形成されている。そして、この角部に接着剤が充填されず空気がたまる場合があることが原因であることを突き止めた。
【００１１】
そこで、本発明者は、さらに研究を重ねて本発明をするに至った。
【００１２】
すなわち本発明のアクチュエータ用コムは、互いに平行な一対の面と、コイルの外周面と対向するコイル対向面と、を有するコイル保持部を備えるアクチュエータ用コムであって、前記コイル対向面は、前記コイル保持部の少なくとも一方の面側において、前記一方の面と鈍角をなすように傾斜していることを特徴とするものである。
【００１３】
このようなアクチュエータ用コムによれば、コイル対向面は、コイル保持部の少なくとも一方の面側において、一方の面と鈍角をなすように傾斜している。つまり、コイル対向面は、コイル保持部の少なくとも一方の面側において、他方の面から一方の面に向かう方向にかけて、コイルの外周面から離れるように傾斜している。従って、コイル対向面とコイルの外周との距離を小さくする場合においても、コイル対向面とコイルの外周面とが比較的離れている一方の面側から接着剤を充填することができる。このようにコイル対向面とコイルの外周面との距離を小さくしつつ、接着剤を充填することができるので、接着剤の量を減らしてアクチュエータの共振周波数を高くすることができる。また、接着剤を充填する際、コイル保持部の一方の面側におけるコイル対向面は傾斜しているため、接着剤が充填されるべき領域に空気が溜まることを防止することができる。従って、コイルとコイル対向面との間に空気が溜まることによる、アクチュエータの耐久性の低下や、共振周波数の低下を防止することができる。このように本発明のアクチュエータ用コムを用いることにより、耐久性を維持しつつ、共振周波数を高くすることができるアクチュエータを実現することができる。
【００１４】
また、上記アクチュエータ用コムにおいて、前記コイル保持部は、前記コイルを挟み込む一対のコイル保持アームを有し、前記コイル対向面の少なくとも一部は、前記コイル保持アームの側面の一部とされることが好ましい。
【００１５】
このようなアクチュエータ用コムによれば、アクチュエータ用コムに固定されるコイルは、一対のコイル保持アームにより挟み込まれて、接着剤で固定されるため、さらに良好な耐久性を有するアクチュエータを実現することができる。
【００１６】
また、上記アクチュエータ用コムにおいて、前記コイル対向面は、前記コイル保持部の他方の面側において、前記コイル保持部の前記他方の面と垂直をなすように形成されていることが好ましい。
【００１７】
このようなアクチュエータ用コムを用いることにより、コイル対向面におけるコイル保持部の他方の面側において、コイル対向面とコイルの外周面とを固定する接着剤の量を最小にすることができ、さらに共振周波数の高いアクチュエータを実現することができる。
【００１８】
或いは、上記アクチュエータ用コムにおいて、前記コイル対向面は、前記コイル保持部の他方の面側において、前記他方の面と鋭角をなすように傾斜していることが好ましい。
【００１９】
このようなアクチュエータ用コムによれば、コイル対向面における一方の面側及び他方の面側のそれぞれが、コイル保持部の一方の面側を向いているため、コイル保持部の一方の面側から切削作業を行うことにより、コイル対向面を形成することができ、切削作業が容易になり、安価にコムを製造することができる。
【００２０】
さらに、上記アクチュエータ用コムにおいて、前記コイル対向面における前記コイル保持部の他方の面側は、前記コイル対向面における前記一方の面側と面一とされていることが好ましい。
【００２１】
このようなアクチュエータ用コムは、コイル対向面において、コイル保持部の他方の面側と、コイル保持部の一方の面側とが、面一に形成されるため、コイル対向面の切削がより容易になり、より安価に製造することができる。
【００２２】
或いは、上記アクチュエータ用コムにおいて、前記コイル対向面は、前記コイル保持部の他方の面側において、前記他方の面と鈍角をなすように傾斜していることが好ましい。
【００２３】
このようなアクチュエータ用コムによれば、コイル対向面は、コイル保持部の他方の面側において、一方の面から他方の面に向かう方向にかけて、コイルの外周面から離れるように傾斜している。従って、コイル対向面とコイルの外周面とを接着剤により固定する場合に、コイル保持部の両面側から接着剤を充填することができる。
【００２４】
さらに、上記アクチュエータ用コムにおいて、前記他方の面と前記コイル対向面の前記他方の面側とがなす角度は、前記一方の面と前記コイル対向面の前記一方の面側とがなす角度と、同じ大きさとされていることが好ましい。
【００２５】
このようなアクチュエータ用コムによれば、コイル対向面を形成する際、コイル保持部の一方の面側、及び、他方の面側のそれぞれから同じ切削を行えばよい。従って、切削作業が容易になり、安価にコムを製造することができる。
【００２６】
また、本発明のアクチュエータは、上述のアクチュエータ用コムと、コイルと、前記コイル対向面と前記コイルの外周面との間に充填されると共に、前記コイルを前記コイル保持部に固定する接着剤と、を備えることを特徴とするものである。
【００２７】
このようなアクチュエータによれば、コイル対向面とコイルの外周面との距離を小さくしつつ、接着剤を充填することができるので、接着剤の量を減らして共振周波数を高くすることができる。また、接着剤が充填されるべき領域に空気が溜まることを防止することができるため、コイルとコイル対向面との間に空気が溜まることによる、アクチュエータの耐久性の低下や、共振周波数の低下を防止することができる。従って、耐久性を維持しつつ、共振周波数を高くすることができる。
【発明の効果】
【００２８】
以上のように本発明によれば、共振周波数を高くしつつ、耐久性を高くすることができるアクチュエータ、及び、それに用いられるアクチュエータ用コムが提供される。
【図面の簡単な説明】
【００２９】
【図１】本発明の第１実施形態に係るアクチュエータを示す平面図である。
【図２】図１のII−II線における断面図である。
【図３】コイル対向面とコイルの外周面との間に接着剤を充填する様子を示す図である。
【図４】本発明の第２実施形態おけるアクチュエータの図２に相当する断面図である。
【図５】本発明の第３実施形態おけるアクチュエータの図２に相当する断面図である。
【発明を実施するための形態】
【００３０】
以下、本発明に係るアクチュエータ、及び、それに用いられるアクチュエータ用コムの好適な実施形態について図面を参照しながら詳細に説明する。
【００３１】
（第１実施形態）
図１は、本発明の第１実施形態に係るハードディスク用のアクチュエータを示す平面図である。
【００３２】
図１に示すように、本実施形態のアクチュエータ１は、アクチュエータ用コム２０（以下、コム２０と称す。）と、コム２０の一方側にサスペンション１１を介して搭載される磁気ヘッド１０と、コム２０の他方側に固定されるコイル３０と、互いに対向してコイル３０を挟む一対の磁石５０、５０とを主な構成として備える。なお、図１においては、理解の容易のため一対の磁石５０、５０のうち一方のみを図示している。
【００３３】
コム２０は、軸受部２１と、軸受部２１の一方側の側面に接続されているヘッド保持アーム２２と、軸受部２１の他方側の側面に接続されているコイル保持部２３とを備える。
【００３４】
軸受部２１は、肉厚な部材から構成されている。そして、略中心において、厚さ方向に沿って貫通しているピポットホール２５が形成されている。
【００３５】
軸受部２１の一方側の側面に接続されているヘッド保持アーム２２は、軸受部２１よりも薄いアーム状の形状をした板材から構成されており、軸受部の側面からピポットホール２５の中心軸に垂直な方向に沿って延在している。
【００３６】
軸受部２１の他方側の側面に接続されているコイル保持部２３は、軸受部２１よりも薄い互いに平行な一対の面を有する板材から構成されている。そして、互いに所定の間隔を空けて、ピポットホール２５の中心軸に垂直な方向に沿って延在している一対のコイル保持アーム２４、２４を有している。これら一対のコイル保持アーム２４、２４は互いに対称な形状とされ、一対のコイル保持アーム２４、２４の中間を結ぶ線は、ヘッド保持アーム２２が延在する方向と反対側に延びる線となる。
【００３７】
なお、コム２０を構成する軸受部２１及びヘッド保持アーム２２及びコイル保持部２３は、それぞれアルミ合金から構成されることが、コム２０のヤング率を高くしつつ、重量を軽くすることができる観点から好ましい。このようにコム２０のヤング率を高くしつつ、重量を軽くすることにより、コム２０を用いたアクチュエータ１の共振周波数を高くすることができる。
【００３８】
また、コム２０においては、軸受部２１とヘッド保持アーム２２とコイル保持部２３とが別々の部材から構成され、軸受部２１にヘッド保持アーム２２及びコイル保持部２３が接続されていても良く、軸受部２１及びヘッド保持アーム２２及びコイル保持部２３の２つ以上の部材が一体成型されても良い。
【００３９】
このようなコム２０のヘッド保持アーム２２の先端部には、サスペンション１１が接続されている。サスペンション１１は、ヘッド保持アーム２２よりも更に薄い板材から構成されている。そして、サスペンション１１の先端部には、記録用ヘッド及び再生用ヘッドが一体化された磁気ヘッド１０が搭載されている。
【００４０】
なお、軸受部２１には、厚さ方向に重なる様に複数のヘッド保持アーム２２が接続されていても良い。その場合は、それぞれのヘッド保持アーム２２の先端部にサスペンション１１を介して磁気ヘッド１０が固定される。
【００４１】
一方、コイル保持部２３には、コイル３０が接着剤により固定されている。このコイル３０は、銅等から成る導電性の線材が、整列巻された、空芯コイルとされている。さらにコイル３０は、このように整列巻された状態が維持されるように、図示しない樹脂により固められている。このコイル３０の厚さは、コイル保持部２３と略同じ厚さとされている。
【００４２】
次に、このようにコイル３０がコイル保持部２３に固定されている様子について図１、図２を用いて説明する。図２は、図１のII−II線における断面図である。図１に示す様に、コイル３０は、一対のコイル保持アーム２４、２４によって、外周面が挟み込まれるように配置されている。従って、図２に示すようにそれぞれのコイル保持アーム２４、２４の側面の一部は、コイル対向面２６としてコイル３０の外周面３１と対向している。
【００４３】
このコイル対向面２６は、コイル保持部２３の一方の面２３ａ側において、一方の面２３ａと鈍角をなすように傾斜しており、この傾斜している部分が傾斜部２６ａとされている。つまり、傾斜部２６ａは、コイル保持部２３の他方の面２３ｂから一方の面２３ａに向かう方向にかけて、コイル３０の外周面３１から離れるように傾斜している。一方、コイル対向面２６におけるコイル保持部２３の他方の面２３ｂ側は、他方の面２３ｂに垂直な方向に沿って形成される垂直部２６ｂとされている。
【００４４】
なお、コイル保持部２３におけるコイル３０と対向する側面は、コイル保持アーム２４のコイル対向面２６以外においても、コイル保持アーム２４のコイル対向面２６と同様の形状とされている。
【００４５】
そして、このような形状をしているコイル対向面２６とコイル３０の外周面３１との間には、接着剤４０が充填されている。この接着剤４０により、コイル３０は、コイル保持部２３に固定されている。
【００４６】
なお、このような接着剤４０としては、アクリル系接着剤、エポキシ系接着剤、ニトロセルロース系接着剤等が挙げられ、中でも、エポキシ系接着剤は、硬質であるためアクチュエータ１の共振周波数を高くすることができる観点から好ましい。
【００４７】
なお、図２に示すように傾斜部２６ａの厚さＬａが、コイル保持部２３の厚さＬの１／３以上であることが、コイル対向面２６とコイル３０の外周面３１との間に接着剤４０を充填し易くすることができる観点から好ましい。
【００４８】
このようにコイル保持部２３に固定されたコイル３０は、一対の磁石５０、５０の間において、コイル３０の空芯が、それぞれの磁石５０のコイル側の表面に垂直になるように配置されている。こうして、コイル３０と一対の磁石５０、５０とでボイスコイルモータ（ＶＣＭ）が構成されている。
【００４９】
次に、アクチュエータ１の製造方法について説明する。
【００５０】
まず、コム２０を準備し、準備したコム２０を図示しない治具に固定する。
【００５１】
次に、コイル３０を準備し、準備したコイル３０をコイル保持部２３における一対のコイル保持アーム２４、２４の間に配置すると共に、コイル３０を治具に固定する。そして、接着剤４０をコイル保持部２３のコイル対向面２６とコイル３０の外周面３１との間に充填する。図３は、コイル対向面２６とコイル３０の外周面３１との間に接着剤４０を充填する様子を示す図である。図３に示すように、コイル対向面２６とコイル３０の外周面３１とが対向している状態で、ディスペンサ６０から接着剤４０を供給して充填する。このとき、ディスペンサ６０の先端をコイル保持部２３の一方の面２３ａ側に配置して、コイル保持部２３の一方の面２３ａ側から接着剤４０を充填する。その後、充填した接着剤４０を硬化して、コイル３０をコイル保持部２３に固定する。
【００５２】
次に、磁気ヘッド１０が固定されたサスペンション１１を準備して、準備したサスペンション１１をコム２０のヘッド保持アーム２２に接続する。サスペンション１１をヘッド保持アーム２２に接続するには、例えば、サスペンション１１とヘッド保持アーム２２とをスポット溶接すれば良い。
【００５３】
次に、コイル３０の両面側に図示しない固定具を用いて一対の磁石５０、５０を設置する。
【００５４】
こうして、アクチュエータ１を得る。
【００５５】
以上説明したように、本実施形態のコム２０によれば、コイル対向面２６は、コイル保持部２３の一方の面２３ａ側において、一方の面２３ａと鈍角をなすように傾斜している。つまり、コイル対向面２６は、コイル保持部２３の一方の面２３ａ側において、他方の面２３ｂから一方の面２３ａに向かう方向にかけて、コイル３０の外周面３１から離れるように傾斜している。従って、コイル対向面２６とコイル３０の外周面３１との距離を小さくする場合においても、コイル対向面２６とコイル３０の外周面３１とが比較的離れている一方の面２３ａ側から接着剤４０を充填することができる。このようにコイル対向面２６とコイル３０の外周面３１との距離を小さくしつつ、接着剤４０を充填することができるので、接着剤４０の量を減らしてアクチュエータ１の共振周波数を高くすることができる。また、接着剤４０を充填する際、コイル保持部２３の一方の面２３ａ側におけるコイル対向面２６は傾斜しているため、接着剤４０が充填されるべき領域に空気が溜まることを防止することができる。従って、コイル３０とコイル対向面２６との間に空気が溜まることによる、アクチュエータ１の耐久性の低下や、共振周波数の低下を防止することができる。このように本実施形態のコム２０を用いることにより、アクチュエータ１は、耐久性を維持しつつ、共振周波数を高くすることができる。
【００５６】
また、本実施形態のコム２０によれば、コム２０に固定されるコイル３０は、一対のコイル保持アーム２４、２４により挟み込まれ、接着剤４０で固定されるため、アクチュエータ１は、さらに良好な耐久性を有することができる。
【００５７】
また、本実施形態のコム２０によれば、コイル対向面２６は、コイル保持部２３の他方の面２３ｂ側において、他方の面２３ｂに垂直な方向に沿って形成されているため、コイル対向面２６における他方の面２３ｂ側において、コイル対向面２６とコイル３０の外周面３１とを固定する接着剤４０の量を最小にすることができ、さらに共振周波数の高いアクチュエータ１を実現することができる。
【００５８】
（第２実施形態）
次に、本発明の第２実施形態について図４を参照して詳細に説明する。なお、第１実施形態と同一又は同等の構成要素については、同一の参照符号を付して重複する説明は省略する。図４は、本発明の第２実施形態おけるハードディスク用のアクチュエータの図２に相当する断面図である。
【００５９】
図４に示すように、本実施形態のコム２０においては、コイル対向面２６が、コイル保持部２３の他方の面２３ｂ側において、他方の面２３ｂと鋭角をなすように傾斜しており、このコイル対向面２６における他方の面２３ｂ側が傾斜部２６ｃとされている点において、第１実施形態のアクチュエータ１と異なる。そして、本実施形態においては、この傾斜部２６ｃが、傾斜部２６ａと面一にされている。すなわち、傾斜部２６ａと傾斜部２６ｃとが同一平面上に形成されている。
【００６０】
本実施形態におけるコム２０によれば、コイル対向面２６における一方の面２３ａ側及び他方の面２３ｂ側のそれぞれが、コイル保持部２３の一方の面２３ａに向かう方向を向いているため、コイル保持部２３の一方の面２３ａ側から切削作業を行うことにより、コイル対向面２６を形成することができ、切削作業が容易になり、安価にコム２０を製造することができる。
【００６１】
さらに、本実施形態におけるコム２０においては、コイル保持部２３の他方の面２３ｂ側と、一方の面２３ａ側とが、面一に形成されるためコイル対向面２６の切削がより容易になり、コム２０をより安価に製造することができる。
【００６２】
（第３実施形態）
次に、本発明の第３実施形態について図５を参照して詳細に説明する。なお、第１実施形態と同一又は同等の構成要素については、同一の参照符号を付して重複する説明は省略する。図５は、本発明の第３実施形態おけるハードディスク用のアクチュエータの図２に相当する断面図である。
【００６３】
図５に示すように本実施形態のコム２０は、コイル対向面２６が、コイル保持部２３の他方の面２３ｂ側において、他方の面２３ｂと鈍角をなすように傾斜しており、この傾斜している部分が傾斜部２６ｄとされている。つまり、傾斜部２６ｄは、コイル保持部２３の一方の面２３ａから他方の面２３ｂに向かう方向にかけて、コイル３０の外周面３１から離れるように傾斜している点において、第１実施形態のアクチュエータ１と異なる。さらに、本実施形態においては、傾斜部２６ｄと他方の面２３ｂとがなす角度が、傾斜部２６ａと一方の面２３ａとがなす角度と同じ大きさとされている。
【００６４】
本実施形態におけるコム２０によれば、コイル対向面２６は、コイル保持部２３の他方の面２３ｂ側において、一方の面２３ａから他方の面２３ｂに向かう方向にかけて、コイル３０の外周面３１から離れるように傾斜している。従って、コイル対向面２６とコイル３０の外周面３１とを接着剤４０により固定する場合に、コイル保持部２３の両面側から接着剤４０を充填することができる。
【００６５】
また、傾斜部２６ｄと他方の面２３ｂとがなす角度が、傾斜部２６ａと一方の面２３ａとがなす角度と同じ大きさとされるため、コイル対向面２６を形成する際、コイル保持部２３の一方の面側、及び、他方の面側のそれぞれから同じ切削を行えばよい。従って、切削作業が容易になり、安価にコム２０を製造することができる。
【００６６】
以上、本発明について、第１〜第３実施形態を例に説明したが、本発明はこれらに限定されるものではない。
【００６７】
例えば、コム２０のコイル保持部２３には、一対のコイル保持アーム２４、２４が形成されているものとしたが、本発明はこれに限定されず、例えば、一対のコイル保持アーム２４、２４に代えて、コイル保持部２３がコイル３０の外周面３１の全周を覆う構成としても良い。
【００６８】
また、コム２０を構成する各部材は、アルミ合金以外の材料から構成されても良く、例えば、チタンやマグネシウム合金から構成されても良い。
【００６９】
また、コム２０を構成する、軸受部２１は肉厚な材料から形成され、ヘッド保持アーム２２、及び、コイル保持部２３は、軸受部２１よりも薄い板材から構成されるとしたが、コム２０を構成する各部材は、互いに略同じ厚さの板材から構成されても良い。
【００７０】
また、第２実施形態において、傾斜部２６ｃが、傾斜部２６ａと面一に形成されているものとしたが、必ずしも面一に形成されている必要はなく、傾斜部２６ｃと傾斜部２６ａとが異なる傾斜とされていても良い。
【００７１】
また、第３実施形態において、傾斜部２６ｄと他方の面２３ｂとがなす角度は、傾斜部２６ａと一方の面２３ａとがなす角度と同じ大きさとされているものとしたが、傾斜部２６ｄと他方の面２３ｂとがなす角度は、傾斜部２６ａと一方の面２３ａとがなす角度と異なる大きさであっても良い。
【産業上の利用可能性】
【００７２】
本発明によれば、耐久性を維持しつつ、共振周波数を高くすることができるアクチュエータ、及び、それに用いられるアクチュエータ用コムが提供される。
【符号の説明】
【００７３】
１・・・アクチュエータ
１０・・・磁気ヘッド
１１・・・サスペンション
２０・・・アクチュエータ用コム
２１・・・軸受部
２２・・・ヘッド保持アーム
２３・・・コイル保持部
２４・・・コイル保持アーム
２５・・・ピポットホール
２６・・・コイル対向面
３０・・・コイル
３１・・・外周面
４０・・・接着剤
５０・・・磁石
６０・・・ディスペンサ
【図１】
2011181165.tif 000003
【図２】
2011181165.tif 000004
【図３】
2011181165.tif 000005
【図４】
2011181165.tif 000006
【図５】
2011181165.tif 000007